(57)【要約】【課題】必要に応じて通信方式の選択及び／または表示手段の調節を行うことで、内蔵の電池を使用する機器において長時間の使用を可能にする。【解決手段】デジタル信号処理回路（ＤＳＰ）１３には、例えば５．２ＧＨｚ帯の搬送周波数で変調方式にＯＦＤＭ方式を用いる第１の通信手段１６と、例えば２．４ＧＨｚ帯の搬送周波数でシングルキャリアの変調方式を用いる第２の通信手段１７とが接続される。また、内蔵の電池１１には電池残量検出回路２０が接続されて、検出された電池残量がＤＳＰ１３に供給される。さらに輝度調整回路１５からの表示部１０の表示輝度に応じた調整電圧が電圧比較器２１に供給され、この電圧比較器２１に基準電圧発生回路２２からの任意の基準電圧が供給されて、調整電圧が基準電圧を越えたときに電圧比較器２１から比較出力が取り出される。そしてこの比較出力がＤＳＰ１３に供給される。【選択図】　　　　図２
2004015554.tif 000002
【特許請求の範囲】
【請求項１】
少なくとも１台が表示手段を有し内蔵の電池で駆動される機器を含む複数の機器で構成され相互通信を行う無線伝送装置であって、
それぞれ異なる通信方式により相互通信を行う複数の通信手段が設けられると共に、
前記通信方式の選択、前記表示手段の調節、及び前記内蔵の電池の残量に応じて前記通信方式の選択及び／または前記表示手段の調節の制御を行う制御手段が設けられる
ことを特徴とする無線伝送装置。
【請求項２】
請求項１記載の無線伝送装置において、
前記複数の通信方式が互いに消費電力の異なる方式であり、
前記制御手段は、前記複数の通信方式の中で消費電力の大きい方式が選択され、且つ前記内蔵の電池の残量が少なくなったときに、前記表示手段の輝度を下げることを促す警告を前記表示手段に表示する
ことを特徴とする無線伝送装置。
【請求項３】
請求項２記載の無線伝送装置において、
前記表示手段の輝度調節回路の調節電圧値を判別する手段を設け、
前記調節電圧値が任意の基準値より高いときに、前記表示手段の輝度を下げることを促す警告を表示する
ことを特徴とする無線伝送装置。
【請求項４】
請求項３記載の無線伝送装置において、
前記警告は、前記表示手段の輝度を下げるか下げないかの選択のための画像を表示する
ことを特徴とする無線伝送装置。
【請求項５】
請求項４記載の無線伝送装置において、
前記表示手段の輝度を下げない選択が行われたときは、前記複数の通信方式の中で消費電力の少ない方式を選択する
ことを特徴とする無線伝送装置。
【請求項６】
少なくとも１台が表示手段を有し内蔵の電池で駆動される機器を含む複数の機器で構成され相互通信を行う無線伝送装置の制御方法であって、
それぞれ異なる複数の通信方式により相互通信が行われると共に、
前記通信方式の選択、前記表示手段の調節、及び前記内蔵の電池の残量に応じて前記通信方式の選択及び／または前記表示手段の調節の制御を行う
ことを特徴とする無線伝送装置の制御方法。
【請求項７】
請求項６記載の無線伝送装置の制御方法において、
前記複数の通信方式が互いに消費電力の異なる方式であり、
前記複数の通信方式の中で消費電力の大きい方式が選択され、且つ前記内蔵の電池の残量が少なくなったときに、前記表示手段の輝度を下げることを促す警告を前記表示手段に表示する
ことを特徴とする無線伝送装置の制御方法。
【請求項８】
請求項７記載の無線伝送装置の制御方法において、
前記表示手段の輝度調節回路の調節電圧値を判別し、
前記調節電圧値が任意の基準値より高いときに、前記表示手段の輝度を下げることを促す警告を表示する
ことを特徴とする無線伝送装置の制御方法。
【請求項９】
請求項８記載の無線伝送装置の制御方法において、
前記警告は、前記表示手段の輝度を下げるか下げないかの選択のための画像を表示する
ことを特徴とする無線伝送装置の制御方法。
【請求項１０】
請求項９記載の無線伝送装置の制御方法において、
前記表示手段の輝度を下げない選択が行われたときは、前記複数の通信方式の中で消費電力の少ない方式を選択する
ことを特徴とする無線伝送装置の制御方法。
【発明の詳細な説明】
【０００１】
【発明の属する技術分野】
本発明は、いわゆる無線ＬＡＮシステムを用いてテレビジョン信号等の伝送を行う場合に使用して好適な無線伝送装置及びその制御方法に関する。詳しくは、例えば汎用の無線ＬＡＮシステムにおける国際的な標準規格で規定される複数の通信方式に対応する通信手段を内蔵し、これらの通信方式を切り替えて用いることで良好な運用が行われるようにするものである。
【０００２】
【従来の技術】
例えば図５に示すような無線ＬＡＮシステムが実現されている。すなわち図５において、無線装置Ａは例えば内蔵の電池で駆動される可搬型の機器であり、無線装置Ｂは例えば配電幹線から駆動電源が供給される据置型の機器である。そして無線装置Ｂには、例えばインターネット網やパーソナルコンピュータからの情報データ、さらにテレビジョンチューナからのテレビジョン信号のデータ等が供給され、これらのデータが無線装置Ｂを介して電波到達範囲の無線装置Ａに無線伝送されるものである。
【０００３】
さらに図６には、このような無線ＬＡＮシステムに用いられる無線伝送装置の具体的な構成を示す。すなわち図６において、無線装置Ａは、例えば表示手段としての表示部７０を有し、内蔵の電池７１で駆動される可搬型の機器である。また無線装置Ｂは、例えば配電幹線９０からＡＣ電源アダプタ９１を介して駆動電源の供給される据置型の機器である。そしてこれら無線装置Ａ、Ｂの間で例えば無線ＬＡＮシステムを用いて信号データの無線伝送が行われる。
【０００４】
そして無線装置Ａにおいては、例えば制御手段としてのプログラマブルコントローラ（以下、ＰＣと略称する）７２からのデータがデジタル信号処理回路（以下、ＤＳＰと略称する）７３に供給され、このＤＳＰ７３でメモリ７４に記憶された情報が任意に処理されて所望の表示信号が形成される。さらにこの形成された表示信号が輝度調整回路７５を通じて表示部７０に供給される。これによって表示部７０には、例えばメモリ７４に記憶された情報がＰＣ７２からのデータに従って処理され、この処理された情報の画像が表示される。
【０００５】
また、上述のＤＳＰ７３には、例えば任意の第１及び第２の通信方式に対応する第１の通信手段７６と第２の通信手段７７とが接続される。なお、これらの第１及び第２の通信方式は、例えば汎用の無線ＬＡＮシステムにおける国際的な標準規格で規定されるものであって、互いに搬送周波数や変調方式が異なるものである。
【０００６】
そしてＤＳＰ７３からの送信信号Ｔｘが通信手段７６及び７７に供給されると共に、通信手段７６及び７７の受信信号ＲｘがＤＳＰ７３に供給される。さらにこれらの通信手段７６及び７７には、それぞれアンテナ７８及び７９が接続される。これによって、通信手段７６及び７７で発生された高周波信号の自由空間への輻射（送信）と、自由空間からの所望の高周波信号の通信手段７６及び７７での受信が行われる。
【０００７】
一方、無線装置Ｂにおいても、例えば制御手段としてのプログラマブルコントローラ（以下、ＰＣと略称する）８０からのデータがデジタル信号処理回路（以下、ＤＳＰと略称する）８１に供給され、このＤＳＰ８１でメモリ８２に記憶された情報が処理される。ここでメモリ８２には、例えば上述のインターネット網やパーソナルコンピュータからの情報データ、さらにテレビジョンチューナからのテレビジョン信号のデータ等が記憶されている。そしてこのメモリ８２に記憶された情報が、ＤＳＰ８１でＰＣ８０からのデータに従って処理される。
【０００８】
また、このＤＳＰ８１には、例えば上述の第１及び第２の通信方式に対応する第１の通信手段８３と第２の通信手段８４とが接続される。すなわち第１の通信手段７６に対応する第１の通信手段８３と、第２の通信手段７７に対応する第２の通信手段８４とが接続される。そしてＤＳＰ８１からの送信信号Ｔｘが通信手段８３及び８４に供給されると共に、通信手段８３及び８４の受信信号ＲｘがＤＳＰ８１に供給される。
【０００９】
さらにこれらの通信手段８３及び８４にはそれぞれアンテナ８５及び８６が接続される。これによって、通信手段８３及び８４で発生された高周波信号の自由空間への輻射（送信）と、自由空間からの所望の高周波信号の通信手段８３及び８４での受信が行われる。このようにして、無線装置Ａ及び無線装置Ｂの間で情報データやテレビジョン信号のデータ等の無線伝送が行われる。
【００１０】
すなわち図６において無線装置Ａの表示部７０には、例えばタッチパネル（図示せず）が併設されて、使用者からの指示の入力が行われる。そしてこの入力された指示に対応した信号は、例えばＰＣ７２を通じてＤＳＰ７３に供給される。これによりＤＳＰ７３では、入力された指示に応じたデータが形成され、この形成されたデータが通信手段７６または７７の一方を用い、アンテナ７８または７９を通じて自由空間に送信される。
【００１１】
一方、例えば無線装置Ｂのアンテナ８５または８６で受信された信号が、通信手段８３または８４に供給されてデータが取り出される。このデータがＤＳＰ８１を通じてＰＣ８０に供給されることにより、上述の使用者からの指示がＰＣ８０に伝送される。そしてＰＣ８０では、伝送された指示に従ってインターネット網やパーソナルコンピュータに対するデータの検索やテレビジョンチューナのチャンネル操作等の制御が行われる。
【００１２】
さらに無線装置ＢのＰＣ８０で検索されたインターネット網やパーソナルコンピュータに対するデータや、チャンネル操作されたテレビジョンチューナからのテレビジョン信号のデータ等が、ＤＳＰ８１を通じて通信手段８３または８４の一方を用い、アンテナ８５または８６を通じて自由空間に送信される。そしてこの送信信号が、無線装置Ａのアンテナ７８または７９を通じて通信手段７６または７７で受信され、ＤＳＰ７３を通じて表示部７０に表示される。
【００１３】
以上のようにして、例えば表示手段としての表示部７０を有し内蔵の電池７１で駆動される可搬型の無線装置Ａと、例えば配電幹線９０からＡＣ電源アダプタ９１を介して駆動電源の供給される据置型の無線装置Ｂとの間において、例えば無線ＬＡＮシステムを用いて信号データの伝送が行われる。そして例えば無線装置Ａに対して指示された内容が無線装置Ｂに伝送され、この指示に従ったデータが無線装置Ｂから無線装置Ａに送り返されて表示されるものである。
【００１４】
【発明が解決しようとする課題】
ところで上述の装置において、例えば一般的に無線ＬＡＮシステムで用いられる通信方式には、搬送周波数が２．４ＧＨｚ帯のものと、５．２ＧＨｚ帯のものとが規定されている。ここで２．４ＧＨｚ帯の搬送周波数は、いわゆる電子レンジ等の妨害を受け易く、このため２．４ＧＨｚ帯に加えて５．２ＧＨｚ帯の搬送周波数の通信方式が規定されたものである。さらに５．２ＧＨｚ帯の搬送周波数の通信方式では、伝送レートも極めて大きくすることができるものである。
【００１５】
ところが、このような５．２ＧＨｚ帯の搬送周波数の通信方式では、変調方式として直交周波数多重変調（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：以下、ＯＦＤＭと略称する）方式を用いている。このために、信号の送受信に係る消費電力が極めて大きくなる問題がある。すなわち従来の搬送周波数が２．４ＧＨｚ帯の無線ＬＡＮシステムで用いられる通信方式は、シングルキャリアのためにパワーアンプの線形性をそれほど要求されず効率のよい回路を利用できる。
【００１６】
これに対してＯＦＤＭ方式では、送信用パワーアンプで異なる周波数の多数のサブキャリアを同時に増幅するためにパワーアンプの線形性が要求される。すなわちこの通信方式では、多数のサブキャリアのレベルの強い位相と弱い位相とが存在するために、従来の回路に比べて線形性は良いが効率の悪い回路を使用しなければならない。このため搬送周波数が５．２ＧＨｚ帯の通信方式では、信号の送受信に係る消費電力が極めて大きくなる問題が生じるものである。
【００１７】
従って、例えば内蔵の電池で駆動される機器を含む複数の機器で構成され相互通信を行う無線伝送装置において、５．２ＧＨｚ帯の通信方式で無線伝送を行っている場合には、内蔵の電池のエネルギー残量が低下し易く、無線装置の使用時間が短くなってしまう。そこで内蔵の電池を使用する可搬型の無線装置においては、高速伝送と使用時間のトレードオフによって、無線装置の性能を考えなくてはならないものである。
【００１８】
この出願はこのような点に鑑みて成されたものであって、解決しようとする問題点は、従来の装置では、例えば２．４ＧＨｚ帯の搬送周波数が妨害を受けたり大きな伝送レートを必要とする場合に、例えば５．２ＧＨｚ帯の搬送周波数の通信方式を使用することになるが、その場合には消費電力が極めて大きくなって、特に、内蔵の電池を使用する機器では、長時間の使用を可能にすることができなかったというものである。
【００１９】
【課題を解決するための手段】
このため本発明においては、送受信手段と並んで消費電力の大きい表示手段に着目し、通信方式の選択、表示手段の調節、及び内蔵の電池の残量を検出して、これらに応じて通信方式の選択及び／または表示手段の調節の制御を行うようにしたものであって、これによれば、必要に応じて通信方式の選択及び／または表示手段の調節が行われるので、内蔵の電池を使用する機器において長時間の使用を可能にすることができる。
【００２０】
【発明の実施の形態】
すなわち本発明は、少なくとも１台が表示手段を有し内蔵の電池で駆動される機器を含む複数の機器で構成され相互通信を行う無線伝送装置であって、それぞれ異なる通信方式により相互通信を行う複数の通信手段が設けられると共に、通信方式の選択、表示手段の調節、及び内蔵の電池の残量に応じて通信方式の選択及び／または表示手段の調節の制御を行う制御手段が設けてなるものである。
【００２１】
また、本発明は、少なくとも１台が表示手段を有し内蔵の電池で駆動される機器を含む複数の機器で構成され相互通信を行う無線伝送装置の制御方法であって、それぞれ異なる複数の通信方式により相互通信が行われると共に、通信方式の選択、表示手段の調節、及び内蔵の電池の残量に応じて通信方式の選択及び／または表示手段の調節の制御を行うものである。
【００２２】
以下、図面を参照して本発明を説明するに、図１は、本発明による無線伝送装置及びその制御方法を適用した無線ＬＡＮシステムに用いられる一対の無線装置の具体的な一実施形態の構成を示すブロック図である。
【００２３】
図１において、無線装置Ａは、例えば表示手段としての表示部１０を有し、内蔵の電池１１で駆動される可搬型の機器である。また無線装置Ｂは、例えば配電幹線３０からＡＣ電源アダプタ３１を介して駆動電源の供給される据置型の機器である。そしてこれら無線装置Ａ、Ｂの間で例えば無線ＬＡＮシステムを用いて信号データの無線伝送が行われる。
【００２４】
そして無線装置Ａにおいては、例えば制御手段としてのプログラマブルコントローラ（以下、ＰＣと略称する）１２からのデータがデジタル信号処理回路（以下、ＤＳＰと略称する）１３に供給され、このＤＳＰ１３でメモリ１４に記憶された情報が任意に処理されて所望の表示信号が形成される。さらにこの形成された表示信号が輝度調整回路１５を通じて表示部１０に供給される。これによって表示部１０には、例えばメモリ１４に記憶された情報がＰＣ１２からのデータに従って処理され、この処理された情報の画像が表示される。
【００２５】
また、上述のＤＳＰ１３には、例えば任意の第１及び第２の通信方式に対応する第１の通信手段１６と第２の通信手段１７とが接続される。なおこれらの第１及び第２の通信方式は、互いに搬送周波数や変調方式が異なるものである。すなわち第１の通信手段１６は、例えば５．２ＧＨｚ帯の搬送周波数で変調方式にＯＦＤＭ方式を用いるものであり、また第２の通信手段１７は、例えば２．４ＧＨｚ帯の搬送周波数でシングルキャリアの変調方式を用いるものである。
【００２６】
そしてＤＳＰ１３からの送信信号Ｔｘが通信手段１６及び１７に供給されると共に、通信手段１６及び１７の受信信号ＲｘがＤＳＰ１３に供給される。さらにこれらの通信手段１６及び１７には、それぞれアンテナ１８及び１９が接続される。これによって、通信手段１６及び１７で発生された高周波信号の自由空間への輻射（送信）と、自由空間からの所望の高周波信号の通信手段１６及び１７での受信が行われる。
【００２７】
それと同時に、内蔵の電池１１には電池残量検出回路２０が接続されて、検出された電池残量がＤＳＰ１３に供給される。また、輝度調整回路１５からの表示部１０の表示輝度に応じた調整電圧が電圧比較器２１に供給され、この電圧比較器２１に基準電圧発生回路２２からの任意の基準電圧が供給されて、調整電圧が基準電圧を越えたときに電圧比較器２１から比較出力が取り出される。そしてこの比較出力がＤＳＰ１３に供給される。
【００２８】
一方、無線装置Ｂにおいては、例えば制御手段としてのプログラマブルコントローラ（以下、ＰＣと略称する）４０からのデータがデジタル信号処理回路（以下、ＤＳＰと略称する）４１に供給され、このＤＳＰ４１でメモリ４２に記憶された情報が処理される。ここでメモリ４２には、例えば上述のインターネット網やパーソナルコンピュータからの情報データ、さらにテレビジョンチューナからのテレビジョン信号のデータ等が記憶されている。そしてこのメモリ４２に記憶された情報が、ＤＳＰ４１でＰＣ４０からのデータに従って処理される。
【００２９】
また、このＤＳＰ４１には、例えば上述の第１及び第２の通信方式に対応する第１の通信手段４３と第２の通信手段４４とが接続される。すなわち第１の通信手段１６に対応する第１の通信手段４３と、第２の通信手段１７に対応する第２の通信手段４４とが接続される。そしてＤＳＰ４１からの送信信号Ｔｘが通信手段４３及び４４に供給されると共に、通信手段４３及び４４の受信信号ＲｘがＤＳＰ４１に供給される。
【００３０】
さらにこれらの通信手段４３及び４４にはそれぞれアンテナ４５及び４６が接続される。これによって、通信手段４３及び４４で発生された高周波信号の自由空間への輻射（送信）と、自由空間からの所望の高周波信号の通信手段４３及び４４での受信が行われる。このようにして、無線装置Ａ及び無線装置Ｂの間で情報データやテレビジョン信号のデータ等の無線伝送が行われる。
【００３１】
すなわち図１において無線装置Ａの表示部１０には、例えばタッチパネル（図示せず）が併設されて、使用者からの指示の入力が行われる。そしてこの入力された指示に対応した信号は、例えばＰＣ１２を通じてＤＳＰ１３に供給される。これによりＤＳＰ１３では、入力された指示に応じたデータが形成され、この形成されたデータが通信手段１６または１７の一方を用い、アンテナ１８または１９を通じて自由空間に送信される。
【００３２】
一方、例えば無線装置Ｂのアンテナ４５または４６で受信された信号が、通信手段４３または４４に供給されてデータが取り出される。このデータがＤＳＰ４１を通じてＰＣ４０に供給されることにより、上述の使用者からの指示がＰＣ４０に伝送される。そしてＰＣ４０では、伝送された指示に従ってインターネット網やパーソナルコンピュータに対するデータの検索やテレビジョンチューナのチャンネル操作等の制御が行われる。
【００３３】
さらに無線装置ＢのＰＣ４０で検索されたインターネット網やパーソナルコンピュータに対するデータや、チャンネル操作されたテレビジョンチューナからのテレビジョン信号のデータ等が、ＤＳＰ４１を通じて通信手段４３または４４の一方を用い、アンテナ４５または４６を通じて自由空間に送信される。そしてこの送信信号が、無線装置Ａのアンテナ１８または１９を通じて通信手段１６または１７で受信され、ＤＳＰ４１を通じて表示部１０に表示される。
【００３４】
以上のようにして、例えば表示手段としての表示部１０を有し内蔵の電池１１で駆動される可搬型の無線装置Ａと、例えば配電幹線３０からＡＣ電源アダプタ３１を介して駆動電源の供給される据置型の無線装置Ｂとの間において、例えば無線ＬＡＮシステムを用いて信号データの伝送が行われる。そして例えば無線装置Ａに対して指示された内容が無線装置Ｂに伝送され、この指示に従ったデータが無線装置Ｂから無線装置Ａに送り返されるものである。
【００３５】
そしてこの図１の装置において、通信方式の選択、表示手段の調節及び内蔵の電池の残量に応じて通信方式の選択及び／または表示手段の調節の制御を行う処理が、例えば図２〜図３のフローチャートに示すように行われる。
【００３６】
なおこの図２〜図３のフローチャートは、次の条件に従っている。まず無線装置Ｂは初期状態において５．２ＧＨｚ帯で通信を行っている。また無線装置Ａ及び無線装置Ｂは２．４ＧＨｚ帯または５．２ＧＨｚ帯のどちらか一方で送信を行うことができる。さらに無線装置Ａ及び無線装置Ｂは２．４ＧＨｚ帯及び５．２ＧＨｚ帯の両方で受信を行うことができるものである。
【００３７】
そこで無線装置Ａにおいて処理動作が開始されると、まずステップ〔１〕で電源が投入（ＯＮ）され、次のステップ〔２〕で無線装置Ｂの５．２ＧＨｚ帯の基準信号が検出される。さらにステップ〔３〕で５．２ＧＨｚ帯の基準信号が示すチャンネルが判別される。そしてステップ〔４〕で接続要求信号が通信手段１６または１７を通じて送信される。
【００３８】
これに対して無線装置Ｂでは、ステップ〔５〕で接続要求信号が受信され、例えば５．２ＧＨｚ帯の通信手段４３を通じて接続応答信号が送信される。そして無線装置Ａでは、ステップ〔６〕で接続応答信号が受信され、この接続応答信号の判別によって例えば５．２ＧＨｚ帯の通信手段１６への接続が行われる。さらにステップ〔７〕で例えば５．２ＧＨｚ帯での通信が開始される。
【００３９】
またステップ〔８〕で電池残量検出回路２０で検出された電池残量が確認される。そしてステップ〔９〕で電池残量が少ないか否か判断される。ここで電池残量が少なくないとき（電池残量が充分にあるとき＝ＮＯ）は、ステップ〔１５〕に進められて例えば５．２ＧＨｚ帯での通信が続行されて動作は終了される。
【００４０】
一方、ステップ〔９〕で電池残量が少ないとき（ＹＥＳ）はステップ〔１０〕で電圧比較器２１からの比較出力により表示部１０の輝度が確認される。そしてステップ〔１１〕で電圧比較器２１の比較出力が出ているか否かされる。ここで表示部１０の輝度に応じた調整電圧が任意の基準電圧以下のときは比較出力が出ていない（ＮＯ）ので、ステップ〔１５〕に進められて例えば５．２ＧＨｚ帯での通信が続行されて動作は終了される。
【００４１】
これに対して、ステップ〔１１〕で電圧比較器２１の比較出力が出ているとき（表示部１０の輝度が高いとき＝ＹＥＳ）は、ステップ〔１２〕で表示部１０の輝度を下げることを促す警告が表示部１０に表示される。なおこの警告は、ステップ〔１３〕において例えば表示部１０の輝度を下げるか下げないかの選択のための画像を表示することによって行われる。
【００４２】
そして例えば上述のタッチパネル（図示せず）によって表示部１０の輝度を下げることが選択されたとき（ＹＥＳ）は、ステップ〔１４〕で表示部１０の輝度が低くされ、ステップ〔１５〕に進められて例えば５．２ＧＨｚ帯での通信が続行されて動作は終了される。
【００４３】
一方、ステップ〔１３〕で表示部１０の輝度を下げることが選択されなかったとき（ＮＯ）は、ステップ〔１６〕で例えば２．４ＧＨｚ帯への変更要求信号が通信手段１６を通じて送信される。そして無線装置Ｂでは、ステップ〔１７〕で変更要求信号が受信され、ステップ〔１８〕でこの変更要求信号の判別によって例えば２．４ＧＨｚ帯の通信手段４４への接続の切り替えが行われる。さらにステップ〔１９〕で例えば２．４ＧＨｚ帯の通信手段４４を通じて変更応答信号が送信されると共に、例えば２．４ＧＨｚ帯の基準信号が送信され続ける。
【００４４】
さらに無線装置Ａでは、ステップ〔２０〕で変更応答信号が受信される。そしてステップ〔２１〕で例えば２．４ＧＨｚ帯の基準信号が検出され、さらにステップ〔２２〕で２．４ＧＨｚ帯の基準信号が示すチャンネルが判別される。そしてステップ〔２３〕で接続要求信号が通信手段１６を通じて送信される。
【００４５】
これに対して無線装置Ｂでは、ステップ〔２４〕で接続要求信号が受信され、例えば２．４ＧＨｚ帯の通信手段４４を通じて接続応答信号が送信される。そして無線装置Ａでは、ステップ〔２５〕で接続応答信号が受信され、この接続応答信号の判別によって例えば２．４ＧＨｚ帯の通信手段１７への接続が行われる。さらにステップ〔２６〕で例えば２．４ＧＨｚ帯での通信が開始されて動作は終了される。
【００４６】
なおこの処理は、無線装置Ａ及び無線装置Ｂ間の送受信が例えば２．４ＧＨｚ帯で行われているときは実行されない。これに対して、無線装置Ａ及び無線装置Ｂ間の送受信が例えば５．２ＧＨｚ帯で行われているときには、例えばタイマー（図示せず）に設定される所定時間ごとに、ステップ〔８〕以降の動作が繰り返し実行されるものである。
【００４７】
これによりこの装置においては、例えば無線装置Ａ及び無線装置Ｂ間の送受信が５．２ＧＨｚ帯で行われているときに、内蔵の電池１１の電池残量が少なくなると、表示部１０の輝度が確認される。そして表示部１０の輝度が高いときは、表示部１０の輝度を下げることを促す警告が表示部１０に表示される。すなわち、例えば表示部１０の輝度を下げるか下げないかの選択のための画像が表示部１０に表示される。
【００４８】
これに対し使用者は、表示部１０の輝度を下げるか下げないかの判断を行う。そして表示部１０の輝度を下げる指示を行った場合には、５．２ＧＨｚ帯での伝送が維持される。また、表示部１０の輝度を下げない指示を行った場合には、搬送周波数を２．４ＧＨｚ帯に切り替えて、伝送速度を若干落とすことにより、内蔵の電池１１の使用時間を長くする処置が行われる。
【００４９】
従って上述の実施形態において、送受信手段と並んで消費電力の大きい表示手段に着目し、通信方式の選択、表示手段の調節、及び内蔵の電池の残量を検出して、これらに応じて通信方式の選択及び／または表示手段の調節の制御を行うようにしたことによって、必要に応じて通信方式の選択及び／または表示手段の調節が行われるので、内蔵の電池を使用する機器において長時間の使用を可能にすることができる。
【００５０】
これによって、従来の装置では、例えば２．４ＧＨｚ帯の搬送周波数が妨害を受けたり大きな伝送レートを必要とする場合に、例えば５．２ＧＨｚ帯の搬送周波数の通信方式を使用することになるが、その場合には消費電力が極めて大きくなって、特に、内蔵の電池を使用する機器では、長時間の使用を可能にすることができなかったものを、本発明によればこれらの問題点を容易に解消することができるものである。
【００５１】
すなわち上述の無線伝送装置及びその制御方法によれば、例えば内蔵の電池で駆動される機器を含む複数の機器で構成され相互通信を行う無線伝送装置において、５．２ＧＨｚ帯の通信方式で無線伝送を行っている場合に、内蔵の電池のエネルギー残量が低下し易いことに対する高速伝送と使用時間のトレードオフを、必要に応じて表示部の輝度を下げることを促す警告を表示することで容易に行うことができる。
【００５２】
なお、上述の実施の形態においては、例えば表示部の輝度を下げたくない場合には、直ちに搬送周波数を２．４ＧＨｚ帯に切り替えるものとしたが、例えば上述のフローチャートでステップ〔１３〕の判断（ＹＥＳ）の後に、搬送周波数を２．４ＧＨｚ帯に切り替えるか否かの選択を行う表示をして、使用者にその判断を行わせることもできる。すなわちこの場合には、内蔵の電池の使用時間を短くする代わりに伝送レートを維持することができるものである。
【００５３】
さらに本発明の無線伝送装置及びその制御方法は、上述の実施の形態に限定されるものではなく、この他にも種々の実施の形態が考えられる。すなわち図４にはその他の実施の形態を示す。図４は、本発明による無線伝送装置及びその制御方法を適用した無線ＬＡＮシステムに用いられる一対の無線装置の具体的な他の実施形態の構成を示すブロック図である。
【００５４】
この図４においては、無線装置Ａは、例えば表示手段としての表示部１０を有し、内蔵の電池１１で駆動される可搬型の機器であると共に、無線装置Ｃも、例えば表示手段としての表示部５０を有し、内蔵の電池５１で駆動される可搬型の機器で構成される。そしてこれら無線装置Ａ、Ｃの間で例えば無線ＬＡＮシステムを用いて信号データの無線伝送が行われる。
【００５５】
従って図４において、無線装置Ａは、例えば表示手段としての表示部１０を有し、内蔵の電池１１で駆動される可搬型の機器である。また無線装置Ｃも、表示手段としての表示部５０を有し、内蔵の電池５１で駆動される可搬型の機器である。そしてこれら無線装置Ａ、Ｃの間で例えば無線ＬＡＮシステムを用いて信号データの無線伝送が行われる。
【００５６】
そして無線装置Ａにおいては、例えば制御手段としてのプログラマブルコントローラ（以下、ＰＣと略称する）１２からのデータがデジタル信号処理回路（以下、ＤＳＰと略称する）１３に供給され、このＤＳＰ１３でメモリ１４に記憶された情報が任意に処理されて所望の表示信号が形成される。さらにこの形成された表示信号が輝度調整回路１５を通じて表示部１０に供給される。これによって表示部１０には、例えばメモリ１４に記憶された情報がＰＣ１２からのデータに従って処理され、この処理された情報の画像が表示される。
【００５７】
また、上述のＤＳＰ１３には、例えば任意の第１及び第２の通信方式に対応する第１の通信手段１６と第２の通信手段１７とが接続される。なおこれらの第１及び第２の通信方式は、互いに搬送周波数や変調方式が異なるものである。すなわち第１の通信手段１６は、例えば５．２ＧＨｚ帯の搬送周波数で変調方式にＯＦＤＭ方式を用いるものであり、また第２の通信手段１７は、例えば２．４ＧＨｚ帯の搬送周波数でシングルキャリアの変調方式を用いるものである。
【００５８】
そしてＤＳＰ１３からの送信信号Ｔｘが通信手段１６及び１７に供給されると共に、通信手段１６及び１７の受信信号ＲｘがＤＳＰ１３に供給される。さらにこれらの通信手段１６及び１７には、それぞれアンテナ１８及び１９が接続される。これによって、通信手段１６及び１７で発生された高周波信号の自由空間への輻射（送信）と、自由空間からの所望の高周波信号の通信手段１６及び１７での受信が行われる。
【００５９】
それと同時に、内蔵の電池１１には電池残量検出回路２０が接続されて、検出された電池残量がＤＳＰ１３に供給される。また、輝度調整回路１５からの表示部１０の表示輝度に応じた調整電圧が電圧比較器２１に供給され、この電圧比較器２１に基準電圧発生回路２２からの任意の基準電圧が供給されて、調整電圧が基準電圧を越えたときに電圧比較器２１から比較出力が取り出される。そしてこの比較出力がＤＳＰ１３に供給される。
【００６０】
一方、無線装置Ｃにおいても、例えば制御手段としてのプログラマブルコントローラ（以下、ＰＣと略称する）５２からのデータがデジタル信号処理回路（以下、ＤＳＰと略称する）５３に供給され、このＤＳＰ５３でメモリ５４に記憶された情報が任意に処理されて所望の表示信号が形成される。さらにこの形成された表示信号が輝度調整回路５５を通じて表示部５０に供給される。これによって表示部５０には、例えばメモリ５４に記憶された情報がＰＣ５２からのデータに従って処理され、この処理された情報の画像が表示される。
【００６１】
また、上述のＤＳＰ５３には、例えば上述の第１及び第２の通信方式に対応する第１の通信手段５６と第２の通信手段５７とが接続される。すなわち第１の通信手段１６に対応する第１の通信手段５６と、第２の通信手段１７に対応する第２の通信手段５７とが接続される。そしてＤＳＰ５３からの送信信号Ｔｘが通信手段５６及び５７に供給されると共に、通信手段５６及び５７の受信信号ＲｘがＤＳＰ５３に供給される。
【００６２】
さらにこれらの通信手段５６及び５７には、それぞれアンテナ５８及び５９が接続される。これによって、通信手段５６及び５７で発生された高周波信号の自由空間への輻射（送信）と、自由空間からの所望の高周波信号の通信手段５６及び５７での受信が行われる。このようにして、無線装置Ａ及び無線装置Ｃの間で情報データやテレビジョン信号のデータ等の無線伝送が行われる。
【００６３】
それと同時に、内蔵の電池５１には電池残量検出回路６０が接続されて、検出された電池残量がＤＳＰ５３に供給される。また、輝度調整回路５５からの表示部５０の表示輝度に応じた調整電圧が電圧比較器６１に供給され、この電圧比較器６１に基準電圧発生回路６２からの任意の基準電圧が供給されて、調整電圧が基準電圧を越えたときに電圧比較器６１から比較出力が取り出される。そしてこの比較出力がＤＳＰ５３に供給される。
【００６４】
従ってこの実施の形態においては、無線装置Ｃにおいても内蔵の電池５１の電池残量の検出と表示部５０の表示輝度の検出が行われ、これらに応じて通信方式の選択及び／または表示手段の調節の制御が行われる。すなわちこの実施の形態においては、無線装置Ａ及び無線装置Ｃの両方で内蔵の電池１１及び５１の電池残量の検出と、表示部１０及び５０の表示輝度の検出が行われる。
【００６５】
そして例えば５．２ＧＨｚ帯の通信方式で無線伝送を行っている場合に、内蔵の電池の残量が少なくなると、対応する表示部の表示輝度を下げることを促す警告が表示される。これによって表示部の表示輝度が下げられることによって、内蔵の電池の使用時間が長くされる。さらに表示部の表示輝度が下げられなかった場合には、搬送周波数を２．４ＧＨｚ帯に切り替えて、伝送速度を若干落とすことにより、内蔵の電池の使用時間を長くする処置が行われる。
【００６６】
さらに上述の実施の形態では、無線装置の数を２台としたが、本発明は３台以上の無線装置で相互通信を行う無線ＬＡＮシステムにも適用することができるものである。すなわちその場合においても、例えば表示手段としての表示部を有して内蔵の電池で駆動される可搬型の機器において、それぞれの内蔵の電池の電池残量の検出と表示部の表示輝度の検出が行われ、これらに応じて通信方式の選択及び／または表示手段の調節の制御が行われることによって、内蔵の電池の使用時間が長くされる。
【００６７】
ただしこの場合に、表示部の表示輝度が下げられなかったときに、搬送周波数を２．４ＧＨｚ帯に切り替えると、無線ＬＡＮシステム全体の伝送速度を落とすことになる。そこでこのようなシステムでは、例えば上述のフローチャートでステップ〔１３〕の判断（ＹＥＳ）の後に、搬送周波数を２．４ＧＨｚ帯に切り替えるか否かの選択を行う表示をして、使用者にその判断を行わせることが必要になる。すなわちこの場合には、内蔵の電池の使用時間を短くする代わりに伝送レートを維持することができるものである。
【００６８】
こうして上述の無線伝送装置によれば、少なくとも１台が表示手段を有し内蔵の電池で駆動される機器を含む複数の機器で構成され相互通信を行う無線伝送装置であって、それぞれ異なる通信方式により相互通信を行う複数の通信手段が設けられると共に、通信方式の選択、表示手段の調節、及び内蔵の電池の残量に応じて通信方式の選択及び／または表示手段の調節の制御を行う制御手段が設けることにより、必要に応じて通信方式の選択及び／または表示手段の調節が行われるので、内蔵の電池を使用する機器において長時間の使用を可能にすることができるものである。
【００６９】
また、上述の無線伝送装置の制御方法によれば、少なくとも１台が表示手段を有し内蔵の電池で駆動される機器を含む複数の機器で構成され相互通信を行う無線伝送装置の制御方法であって、それぞれ異なる複数の通信方式により相互通信が行われると共に、通信方式の選択、表示手段の調節、及び内蔵の電池の残量に応じて通信方式の選択及び／または表示手段の調節の制御を行うことにより、必要に応じて通信方式の選択及び／または表示手段の調節が行われるので、内蔵の電池を使用する機器において長時間の使用を可能にすることができるものである。
【００７０】
なお本発明は、上述の説明した実施の形態に限定されるものではなく、本発明の精神を逸脱することなく種々の変形が可能とされるものである。
【００７１】
【発明の効果】
従って請求項１の発明によれば、送受信手段と並んで消費電力の大きい表示手段に着目し、通信方式の選択、表示手段の調節、及び内蔵の電池の残量を検出して、これらに応じて通信方式の選択及び／または表示手段の調節の制御を行うようにしたことによって、必要に応じて通信方式の選択及び／または表示手段の調節が行われるので、内蔵の電池を使用する機器において長時間の使用を可能にすることができるものである。
【００７２】
また、請求項２の発明によれば、複数の通信方式が互いに消費電力の異なる方式であり、制御手段は、複数の通信方式の中で消費電力の大きい方式が選択され、且つ内蔵の電池の残量が少なくなったときに、表示手段の輝度を下げることを促す警告を表示手段に表示することによって、必要に応じて表示手段の調節が促されるものである。
【００７３】
また、請求項３の発明によれば、表示手段の輝度調節回路の調節電圧値を判別する手段を設け、調節電圧値が任意の基準値より高いときに、表示手段の輝度を下げることを促す警告を表示することによって、表示手段の調節が良好に行われるものである。
【００７４】
また、請求項４の発明によれば、警告は、表示手段の輝度を下げるか下げないかの選択のための画像を表示することによって、表示手段の調節が使用者の判断に従って行われるものである。
【００７５】
また、請求項５の発明によれば、表示手段の輝度を下げない選択が行われたときは、複数の通信方式の中で消費電力の少ない方式を選択することによって、内蔵の電池を使用する機器において長時間の使用を可能にすることができるものである。
【００７６】
さらに請求項６の発明によれば、送受信手段と並んで消費電力の大きい表示手段に着目し、通信方式の選択、表示手段の調節、及び内蔵の電池の残量を検出して、これらに応じて通信方式の選択及び／または表示手段の調節の制御を行うようにしたことによって、必要に応じて通信方式の選択及び／または表示手段の調節が行われるので、内蔵の電池を使用する機器において長時間の使用を可能にすることができるものである。
【００７７】
また、請求項７の発明によれば、複数の通信方式が互いに消費電力の異なる方式であり、複数の通信方式の中で消費電力の大きい方式が選択され、且つ内蔵の電池の残量が少なくなったときに、表示手段の輝度を下げることを促す警告を表示手段に表示することによって、必要に応じて表示手段の調節が促されるものである。
【００７８】
また、請求項８の発明によれば、表示手段の輝度調節回路の調節電圧値を判別し、調節電圧値が任意の基準値より高いときに、表示手段の輝度を下げることを促す警告を表示することによって、表示手段の調節が良好に行われるものである。
【００７９】
また、請求項９の発明によれば、警告は、表示手段の輝度を下げるか下げないかの選択のための画像を表示することによって、表示手段の調節が使用者の判断に従って行われるものである。
【００８０】
また、請求項１０の発明によれば、表示手段の輝度を下げない選択が行われたときは、複数の通信方式の中で消費電力の少ない方式を選択することによって、内蔵の電池を使用する機器において長時間の使用を可能にすることができるものである。
【００８１】
これによって、従来の装置では、例えば２．４ＧＨｚ帯の搬送周波数が妨害を受けたり大きな伝送レートを必要とする場合に、例えば５．２ＧＨｚ帯の搬送周波数の通信方式を使用することになるが、その場合には消費電力が極めて大きくなって、特に、内蔵の電池を使用する機器では、長時間の使用を可能にすることができなかったものを、本発明によればこれらの問題点を容易に解消することができるものである。
【図面の簡単な説明】
【図１】本発明の無線伝送装置及びその制御方法を適用した無線ＬＡＮシステムに用いられる一対の無線装置の具体的な一実施形態の構成を示すブロック図である。
【図２】その動作の説明のためのフローチャート図である。
【図３】その動作の説明のためのフローチャート図である。
【図４】本発明の無線伝送装置及びその制御方法を適用した無線ＬＡＮシステムに用いられる一対の無線装置の他の実施形態の構成を示すブロック図である。
【図５】無線ＬＡＮシステムの説明のための図である。
【図６】従来の無線伝送装置の構成図である。
【符号の説明】
１０…表示手段としての表示部、１１…内蔵の電池、１２，４０…制御手段としてのプログラマブルコントローラ（ＰＣ）、１３，４１…デジタル信号処理回路（ＤＳＰ）、１４，４２…メモリ、１５…輝度調整回路、１６，４３…第１の通信手段、１７，４４…第２の通信手段、１８，１９，４５，４６…アンテナ、２０…電池残量検出回路、２１…電圧比較器、２２…基準電圧発生回路、３０…配電幹線、３１…ＡＣ電源アダプタ
【図１】
2004015554.tif 000003
【図２】
2004015554.tif 000004
【図３】
2004015554.tif 000005
【図４】
2004015554.tif 000006
【図５】
2004015554.tif 000007
【図６】
2004015554.tif 000008